【事件の表示】
　平成１１年特許願第３７０９２６号「パチンコ機」拒絶査定不服審判事件〔平成１２年　５月２３日出願公開、特開２０００−１４０３１８〕について、次のとおり審決する。
【結　論】
　本件審判の請求は、成り立たない。
【理　由】
１．手続きの経緯、本願発明
　本願は、平成２年９月２９日に出願された特願平２−２６１７１１号の一部を、特許法第４４条第１項の規定により、平成１１年１２月２７日に新たな特許出願としたものであって、平成１５年９月１２日付けで拒絶査定がなされ、これに対し、同年１０月１０日に拒絶査定に対する審判請求がなされたものであり、その請求項１，２に係る発明は、平成１４年９月１８日付けの手続補正書、平成１５年１０月１０日付けの手続補正書、及び、当審で提出された平成１６年９月２７日付けの手続補正書により補正された明細書及び図面の記載からみて、その特許請求の範囲の請求項１，２に記載されたとおりのものと認められるところ、請求項１に係る発明は次のとおりのものと認める。（以下、「本願発明」という。）
　
　【請求項１】賞品球排出装置を制御する本体制御回路を備え、遊技制御回路により制御される遊技盤が前面枠側と分離可能なパチンコ機において、
　前記遊技盤の各入賞口に入賞口センサーを設けると共に、前記賞品球排出装置よりも上流側の通路である誘導路に球が充填されているか否かを判定する賞品球確認スイッチを設け、
　前記遊技制御回路は、前記入賞口センサーの出力信号により所定数の賞品球を表す旨の信号を前記本体制御回路に送信して賞品球排出処理を促し、前記本体制御回路は、前記賞品球確認スイッチのＯＮ状態が予め定められた時間、継続出力されていることを確認して前記賞品球排出装置を作動させると共に、前記本体制御回路は、球貸し信号が入力された場合に、賞品球確認スイッチのＯＮ状態が予め定められた時間、継続出力されていることを確認して、前記賞品球排出装置に予め設定された１単位の貸球数の処理を行うように作動させることを特徴とするパチンコ機。
　
２．当審の拒絶理由
　一方、当審において平成１６年７月３０日付けで通知した拒絶の理由の概要は、本願発明は、本願の出願前に頒布された刊行物である下記の引用例１乃至４に記載された発明に基づいて当業者が容易に発明をすることができたものであるから、特許法第２９条第２項の規定により特許を受けることができない、というものである。
　
　引用例１：特開平２−２０３８８３号公報
　引用例２：特開昭６２−２８６４８４号公報
　引用例３：特開昭６４−３４３９０号公報
　引用例４：実願昭６３−１１０６９６号（実開平２−３２８８７号）のマイクロフィルム
　
２−１．引用例に記載された発明
（１）引用例１
　引用例１［特開平２−２０３８８３号公報］には、パチンコ遊技機に関し、
(1-1)　第１頁右欄第４−１０行には、「［産業上の利用分野］ この発明は、特定入賞口に遊技球が入賞したときに、可動部材が内部の入賞空間中に遊技球を受け入れ易い状態に変換し、その変換時に入賞空間中の特別入賞口に遊技球を入賞すると、入賞空間中にさらに遊技球を受け入れ易い特別遊技態様に変換するパチンコ遊技機に関する。」と、
(1-2)　第２頁左下欄第８−１７行には、「第１図は、本発明が適用されるパチンコ遊技機の前面の構成例を示すもので、遊技盤100の前面には、下部の操作ダイアル101により駆動される打球発射装置102によって発射された打球を遊技盤100の上方部まで案内するガイドレール103が配設され、遊技盤100前面のガイドレール103とガラス板とによって囲まれた空間に遊技領域が構成されている。  この遊技領域の中央には変動入賞装置50が設置されている。」と、
(1-3)　第３頁右上欄第５−６行には、「上記構成の遊技盤100を保持するパチンコ遊技機の保持枠113の上部には、……」と、
(1-4)　第４頁左上欄第１３−１９行には、「遊技中、変動入賞装置50の入賞空間51中の入賞部54,55に遊技球が入賞したときには１回の入賞ごとに通常個数（例えば、13個）の賞球排出（通常排出）が行われ、それ以外の入賞部56,108,109,120,121等に入賞したときには１回の入賞ごとに少ない個数（例えば、10個）の賞球排出（小排出）が行われる。」と、
(1-5)　第４頁右下欄第４−１０行には、「貫通孔1B,1Dの裏側で特定入賞口108,109,109の入賞流路と対応する位置には特定入賞検出器108a（SW2）,109a（SW1）、109a（SW1）がそれぞれ設置され、それら入賞口108,109,109中へ入賞した遊技球を検出するようになっている。」と、
(1-6)　第４頁右下欄第１８行−第５頁左上欄第１１行には、「第５図には第１図に示したパチンコ遊技機の裏機構の構成例を示す。  裏機構盤200の上部には賞品球としての予備球の貯留タンク201が配設され、この貯留タンク201の一端には内部の予備球を自作用的に整列させて誘導する案内樋202が接続されている。  案内樋202は２条の通路を有して緩やかに傾斜され、途中に振り子式の球ならし203と押圧式の球ならし215とが設けられており、それによって、予備球は案内樋202を流下する間に２列に整列される。  そして、上記案内樋202の流下端部に、下部に裏メカ制御装置300が取り付けられた賞品球排出装置220が配設されている。」と、
(1-7)　第５頁左下欄第８−１０行には、「案内樋202の上流側面底部には、予備球がなくなったとき、これを検出する球不足検出器250が設置されている。」と、
(1-8)　第６頁左上欄第１６行−右上欄第６行には、「また、裏機構盤200には、上記賞品球排出装置220やオーバーフロー検出器255からの検出信号により打球発射の停止、各種表示装置の駆動などパチンコ遊技機全体の電気的な制御を行なうための裏メカ制御装置300が前記賞品球排出装置220と一体的に設置され、遊技盤100前面の特定入賞口108,109や変動入賞装置50の特別入賞口54等に内蔵された検出器からの検出信号に基づいてそれらの遊技動作を制御する遊技内容（役物）制御装置600が設置されている。」と、
(1-9)　第８頁右上欄第１５行−右下欄第３行には、「第10図には、上記のように構成されたパチンコ遊技機に設置された役物制御装置600の制御回路図の一例を示す。  同図において、符号600Aを付して示すものは制御装置としてのコンピュータシステムを構成する演算制御手段としての中央処理装置（CPU）である。  この中央処理装置600Aにはアドレスバスに沿って読出し専用メモリたるROM（固定データ記憶手段）601、読出しと書込みが可能なメモリたるRAM（変動データ記憶手段）602およびアドレスデコーダ603が設置されている。  前記ROM601は制御データ領域および表示符号記憶領域を有し、該ROM601には前記セーフセンサ1,2の検出に基づきそれに対応する賞球数を生成せしめる賞球数生成手段、セーフセンサ1,2によって検出された入賞球と対応する賞球数を時系列化して出力するための賞球数整列出力手段、通常遊技時および特別遊技態様時における各種ランプの点滅、変動入賞装置50の可動部材53,53の開閉制御などの固定データが記憶されている。前記RAM602はデータ記憶領域を有し、該RAM602には始動入賞口108,108,109中に設置された特定入賞検出器としての検出スイッチSW2,SW1,SW1からの検出信号を一時的に記憶したり、変動入賞装置50の裏側下部に設置された入賞個数検出器129（セーフセンサ１）からの検出信号をカウントして一時的に記憶する記憶部などを備えている。」と、
(1-10)　第１１頁右上欄第６行−左下欄第３行には、「また、遊技中（通常遊技、特別遊技共）、変動入賞装置50の一般入賞口55中に入賞した遊技球はセーフセンサ１（129）に検出されその検出信号が中央処理装置600Aに入力されてカウントされた後、そのカウント数がRAM602中に記憶される。その記憶があるときにはROM601中の固定データとしての賞球数設定手段により多い排出数（例えば、13個）にセットされる。それがラッチ回路651にラッチされ、賞球数出力手段としての賞球数出力器663により裏メカ制御装置300に出力されて、賞品球排出装置220による通常数の排出が行われる。  それ以外の入賞部56,108,109,120,121（変動入賞装置50の入賞空間51中以外の入賞部）に入賞したときには賞球数設定器により少ない排出数（例えば、７個）にセットされて賞品球排出装置220による少数の排出が行われる。」と、
(1-11)　第１３頁右上欄第１０−１８行には、「球不足検出器250からの球不足信号が入力処理部310を介してマイクロコンピュータ300Aに入力されたときには、マイクロコンピュータ300Aからドライバ320に表示指令信号と補給要求信号が送られて、球不足ランプ123が点灯されるとともに補給要求スイッチ212Aがオンされて球補給装置（図外）が作動されることにより貯留タンク201中に球補給がなされるようになっている。」と、
(1-12)　第２８頁右下欄第４行−第２９頁左上欄第１９行には、「この実施例においては、パチンコ遊技機の遊技盤100側に入賞球の検出手段（セーフセンサ1,2）、該検出手段による検出に基づいて前記入賞球に対応する賞球数を生成せしめる賞球数生成手段およびその生成した賞球数を出力する賞球数出力手段（賞球数出力器663）が設置される一方、排出制御機構側に、前記賞球数出力手段から送られてくる賞球数出力を読み取る賞球数読取り手段（マイクロコンピュータ300A）およびその読み取った賞球数分の賞品球を排出する賞球排出手段が設置され、前記検出手段による前記入賞球の検出に基づき、前記賞球数読取り手段によって、前記賞球数生成手段によって生成された対応する賞球数を前記賞球数出力手段から読み取り、その読み取った賞球数分の賞球を前記賞球排出手段によって排出するようにしているので、従来のように賞球数の異なる遊技盤100ごとに賞球数設定の異なる賞品球排出装置を用意する必要がなくなる。また裏メカ制御装置300に賞球数設定変更部を設けてその変更部を調整する必要がないので、その調整による賞球数の設定ミスが皆無となる。また、遊技盤100の交換時における賞球数の設定変更作業が不要となるとともに、入賞口毎に異なる複数の賞球数を有する遊技盤100に対して賞品球排出装置200側での対応が不要となる。また、排出制御機構部の組付け部品の統一化が図れることにより、その大量生産が可能となる。また、遊技店側で賞球数の設定変更が容易にできないので、不正を防止できる。  なお、上記実施例ではセーフ球の検出手段とセーフ球の検出に基づいて該セーフ球に対応する賞球数を生成せしめる賞球数生成手段とその生成した賞球数を出力する賞球数出力手段とで構成される賞球数変換制御手段を役物制御装置600に設けた構成としたが、役物制御装置600と別個に設けてもよい。」と、
(1-13)　第５図には、案内樋２０２が賞品球排出装置２２０の上流側であることが、
　それぞれ記載されている。
　
　以上の記載より引用例１には、
「賞品球排出装置２２０を制御する裏メカ制御装置３００を備え、役物制御装置６００により制御される遊技盤１００が保持枠１１３に保持されているパチンコ遊技機において、前記遊技盤１００の特定入賞口１０８，１０９，１０９に特定入賞検出器１０８ａ，１０９ａ，１０９ａをそれぞれ設けると共に、前記賞品球排出装置２２０の上流側の案内樋２０２に球不足検出器２５０を設け、前記役物制御回路６００は、前記遊技盤１００の特定入賞口１０８，１０９，１０９に入賞したときには賞球数出力手段により前記裏メカ制御装置３００に賞球数を出力して賞品球排出装置２２０による排出が行われるパチンコ遊技機」との発明（以下、「引用発明」という。）が記載されているものと認められる。
　
（２）引用例２
　引用例２［特開昭６２−２８６４８４号公報］には、パチンコ遊技機における賞品球排出制御方式に関し、
(2-1)　第２頁右下欄第１７行−左上欄第６行には、「そして、上記案内樋１１の流下端部に、ストッパ式の賞品球排出装置２０（第４図参照）が、配設してある。パチンコ遊技機１００（第２図参照）の前面の遊技盤内に設けられた入賞口へ入賞した打球が、裏面に回収されて集合棚１０によって一箇所に集められ、入賞球処理装置４０によって一個ずつ分離されて入賞球検出器９１によって検出され、その結果排出指令信号が形成される。すると、賞品球排出装置２０が一回だけ作動されて所定数（例えば１３個）の賞品球が排出される。」と、
(2-2)　第４頁左上欄第３行−右上欄第１行には、「パチンコ遊技機の分野では、遊技内容の単調化による遊技客離れを防止するため、遊技内容や意匠的な構成の異なる新しい遊技盤と交換することが行われるが、その場合にも遊技盤を除くパチンコ遊技機本体や裏機構盤はほとんど同一である。しかるに、そのような不変部分についてもその寿命に達する以前に遊技盤と一緒に交換してしまうことは非常に不経済である。　上記実施例では、遊技盤の交換に際して遊技盤とその遊技内容制御装置２１０のみ交換すれば良いような構成にされている。つまり、遊技内容制御装置２１０は着脱自在な遊技盤の裏面に固定されており、賞品球排出装置２０や入賞球処理装置４０及びそれらの制御装置２００は、予備球貯留タンク２や各種誘導樋１０〜１７とともに遊技機本体と一体の裏機構盤１に固定されている。従って、遊技盤を交換する場合にも、本体及び裏機構盤の大部分はそのまま残し、継続して使用することができるようになり非常に経済的である。」と、
(2-3)　第４頁左下欄第１−５行には、「案内樋１１の底壁には踏板が回動可能に配設され、貯留タンク２内に予備球がなくなると踏板が上昇する。これを球不足検出器９３が検出して球補給要求信号を形成する。」と、
(2-4)　第９頁右上欄第１３−１６行には、「ＣＰＵ２００’には、前記実施例における賞球数設定器８１，８２や記憶排出スイッチ８３、球抜きスイッチ８４、セーフセンサ９１、オーバフロー検出器９２、球不足検出器９３が入力される。」と、
(2-5)　第１０頁左上欄第１１−２０行には、「タンク処理は、貯留タンク２が空になって玉不足検出器９３がオフされたことを検知すると、例えば、球の補給要求を集中管理室に送ると共に完了ランプ１１２を点灯させ、これと同時にもしくはその後賞品球排出装置２０内の排出センサ２５の信号に基づいて玉無し状態を検知すると、打球発射装置１０３を停止させる。球補給要求信号が集中管理室に送られると、集中管理質からの指令によって、タンク上方の補給装置（図示省略）が作動されて、貯留タンク２への補給が行なわれる。」と、
(2-6)　第１０頁右上欄第１−９行には、「この実施例では、玉不足検出器９３からの信号によってタンクの玉有り状態が検出されても直ちに賞品球の排出を再開させず、第１０図に示すように例えば２秒のディレイ時間ｔｄを経過するのを待ってから再開させるようになっている。ディレイ時間を入れたのは、タンクへの補給がなされてから案内樋１１が予備球で満たされるまでの時間差を考慮したもので、これによって賞品球排出装置２０における空排出が防止される。」と、
　それぞれ記載されている。
　
（３）引用例３［特開昭６４−３４３９０号公報］には、遊技機に関し、
(3-1)　第１頁左欄第５−１８行には、「遊技用媒体を払出す遊技用媒体払出手段を備えた遊技機であって、該遊技機は、所定の遊技用カードが挿入可能なカード挿入口と、前記カード挿入口から挿入されたカードが遊技用媒体の貸出し可能なカードか否かを判別するカード判別手段と、前記カード判別手段が貸出し可能なカードを判別した出力に応答して、所定数量の遊技用媒体を前記遊技用媒体払出手段から払出し、遊技機の賞態様に応じて所定数量の遊技用媒体を前記遊技用媒体払出手段から払出すことを特徴とする、遊技機。」と、
(3-2)　第３頁左上欄第５−９行には、「さらに、パチンコ遊技機300から貸出した貸玉数、パチンコ遊技機300における打込玉数、補給玉数、その他の玉数データ、および景品玉計数器20で景品交換された玉数などもカードシステム管理装置14へ与えられる。」と、
(3-3)　第６頁右下欄第１８行−第７頁右上欄第２行には、「前面枠302には、貸玉中表示器338が形成されており、玉を貸出すための装置が駆動中である旨を表示する。またその下方には、カード挿入口340が設けられており、パチンコカードを垂直方向に挿入し得るよう構成されている。さらにその下方には、金額表示器342および貸玉信号指令ボタン344が設けられている。金額表示器342は、パチンコカードに記憶された貸玉可能な金額を表示するためのものである。貸玉信号指令ボタン344は、「1,000円」「500円」「300円」「200円」「100円」の５つのボタンを含み、いずれかのボタンが押されることにより、表示金額に応じた金額分のパチンコ玉の貸出表示をするものである。そして、パチンコカードを挿入し貸玉信号指令ボタン344を操作することにより、パチンコ玉が景品玉出口323から貸出されるように構成されている。  なお、貸玉信号指令ボタンは、上記実施例に限らず、単一の金額ボタン（100円,200円など）を設け、金額ボタンの押圧毎に対応した貸玉を払出すようにしてもよい。また貸玉信号指令ボタンをわざわざ設けずに、パチンコカードを遊技者がカード挿入口へ手動で挿入する毎に単一の金額（100円,200円など）分の貸玉を払出すようにしてもよい。」と、
(3-4)  第７頁右上欄第３行−左下欄第４行には、「前記始動入賞口316a,316b,314には、第９図に示すように、始動入賞玉検出器364a,364b,364cが設けられており、……。また、この検出器の検出出力に基づいて景品玉を一定個数（たとえば７個）払出すよう制御されるのであり、この始動入賞玉検出器364a,364b,364cは入賞玉検出器に兼用構成されている。また、図中、368a,368b,368cは、機構板349に取付けられている入賞玉検出器であり、パチンコ玉の入賞により一定個数（たとえば13個）の景品玉を払出すためのものである。また、366a、366bも入賞玉検出器であり、パチンコ玉の入賞により一定個数（たとえば10個）の景品玉を払出すためのものである。これら入賞玉検出器の検出出力に基づいて、遊技用媒体払出手段の一例である景品玉払出装置352が駆動制御され、景品玉払出装置内のパチンコ玉を景品玉通路354側に送り出し、所定量の景品玉を景品玉出口323から打球供給皿324（第８図参照）に所定量払出すように構成されている。」と、
(3-5) 　第７頁左下欄第１８行−右下欄第６行には、「図中、340はカード挿入口であり、346はカード制御ボックス、348は選択制御ボックスであり、貸玉信号指令ボタン344（第８図参照）に対応しているものである。このカード挿入口340からカードを挿入し、貸玉信号指令ボタン344（第８図参照）を操作することにより、後述するように、景品玉払出装置352が駆動制御され、所定量のパチンコ玉が貸出されるように構成されている。」と、
　それぞれ記載されている。
　
３．本願発明と引用発明との対比・判断
（１）．本願発明と引用発明との対比
　本願発明と引用発明とを対比すると、引用発明の「賞品球排出装置２２０」「裏メカ制御装置３００」「役物制御装置６００」「遊技盤１００」「保持枠１１３」「パチンコ遊技機」「特定入賞口１０８，１０９，１０９」「特定入賞検出器１０８ａ，１０９ａ，１０９ａ」「案内樋２０２」は、それぞれ、本願発明における「賞品球排出装置」「本体制御回路」「遊技制御回路」「遊技盤」「前面枠」「パチンコ機」「各入賞口」「入賞センサー」「誘導路」に相当する。
　また、引用発明の「役物制御装置６００により制御される遊技盤１００が保持枠１１３に保持されている」ことと、本願発明の「遊技制御回路により制御される遊技盤が前面枠側と分離可能」であることとは、「遊技制御回路により制御される遊技盤が前面枠側で保持されている」ことで共通する。
　また、引用発明の「球不足検出器２５０」は、案内樋２０２に球が充填されていない際の球不足を検出するのであるから、本願発明の「球が充填されているか否かを判定する賞品球確認スイッチ」に対応する。
　また、引用発明の「役物制御回路６００は、遊技盤１００の特定入賞口１０８，１０９，１０９に入賞したときには賞球数出力手段により裏メカ制御装置３００に賞球数を出力して賞品球排出装置２２０による排出が行われる」ことと、本願発明の「遊技制御回路は、入賞口センサーの出力信号により所定数の賞品球を表す旨の信号を本体制御回路に送信して賞品球排出処理を促し、前記本体制御回路は、賞品球確認スイッチのＯＮ状態が予め定められた時間、継続出力されていることを確認して賞品球排出装置を作動させると共に、前記本体制御回路は、球貸し信号が入力された場合に、賞品球確認スイッチのＯＮ状態が予め定められた時間、継続出力されていることを確認して、前記賞品球排出装置に予め設定された１単位の貸球数の処理を行うように作動させる」こととは、「遊技制御回路は、入賞口センサーの出力信号により所定数の賞品球を表す旨の信号を本体制御回路に送信して賞品球排出処理を促し、前記本体制御回路は、賞品球排出装置を作動させる」ことで共通する。
　そうすると、本願発明と引用発明の両者は「賞品球排出装置を制御する本体制御回路を備え、遊技制御回路により制御される遊技盤が前面枠側で保持されているパチンコ機において、前記遊技盤の各入賞口に入賞口センサーを設けると共に、前記賞品球排出装置よりも上流側の通路である誘導路に球が充填されているか否かを判定する賞品球確認スイッチを設け、前記遊技制御回路は、前記入賞口センサーの出力信号により所定数の賞品球を表す旨の信号を前記本体制御回路に送信して賞品球排出処理を促し、前記本体制御回路は、賞品球排出装置を作動させるパチンコ機。」である点で一致し、
　
　以下の点で相違しているものと認められる。
・相違点１
　遊技盤が、本願発明では、前面枠側と分離可能であるのに対し、引用発明では、保持枠に保持されている点。
・相違点２
　本願発明は、賞品球確認スイッチのＯＮ状態が予め定められた時間、継続出力されていることを確認して賞品球排出装置を作動させているのに対し、引用発明は、球不足検出器２５０の球不足の検出と賞品球排出装置の作動との関連が不明である点。
・相違点３
　本体制御回路は、本願発明では、球貸し信号が入力された場合に、賞品球排出装置に予め設定された１単位の貸球数の処理を行うように作動させるのに対し、引用発明では、賞品球排出装置に貸球の処理を行わせるものではない点。
　
（２）当審の判断
　上記相違点について検討すると、
i.相違点１について
　パチンコ機の分野において、遊技盤を交換可能にするために遊技盤をパチンコ機に着脱可能、すなわち、前面枠側と分離可能とすることは、引用例２（上記摘示(2-2)参照）等に記載されているように周知技術であり、引用発明における遊技盤を前面枠側に対して分離可能とすることは、当業者にとって格別困難なことではない。
ii.相違点２について
　引用例２（上記摘示(2-6)参照）には、玉不足検出器９３の玉有り状態の検出が所定時間経過するのを待って賞品球の排出を再開させることが記載されており、当該記載より、玉不足検出器９３の玉無し状態を検出したことにより、該再開前に賞品球の排出が中断したものと認められ、賞品球を排出する必要条件の一つとして、玉不足検出器９３の玉有り状態の継続的検出が必須であると認められる。
　そして、引用発明において、球不足検出器２５０の球の有無の検出と賞品球排出装置との関連が不明であるとしても、空排出等のトラブルを起こすことなく賞球排出を確実に支障なく行うという課題は当然生じ得るのであり、当該課題を解決するために、球不足検知器により球が有ることを確認することを賞球排出を実行の条件とすることは、当業者が格別困難なく想起し得たものである。
　してみると、引用例２に記載の構成を引用発明に適用することにより、引用発明の球不足検出器２５０における球が有ることの継続的検出を賞品球排出の必要条件として、相違点２に係る本願発明の構成に到ることは、引用発明とパチンコ機の賞品球排出という技術分野で共通する引用例２に接した当業者であれば容易になし得る程度のものというべきである。
iii.相違点３について
　引用例３（上記摘示(3-3)参照）には、景品玉払出装置３５２が駆動制御されることにより、景品玉あるいは貸出玉が払い出されるように構成され、貸出玉は、単一の金額ボタン（１００円など）からなる貸玉信号指令ボタンの押圧毎に対応した分が払い出されるようにするか、あるいは、貸玉信号指令ボタンを設けずにパチンコカードを遊技者がカード挿入口へ手動で挿入する毎に単一の金額（１００円など）分を払い出されるようにしたこと、すなわち、球貸し信号が入力された場合に、賞品球排出装置に予め設定された１単位の貸球数の処理を行うように作動させることが記載されている。
　そして、引用発明における賞品球排出装置として、引用例３の景品玉及び貸出玉の双方が払い出される構成を採用することに特段の阻害要因は見出せず、さらに、引用例３の球貸し信号が入力された場合に、賞品球排出装置に予め設定された１単位の貸球数の処理を行うように作動させる構成を引用発明に併せて適用することは、引用発明と引用例３に記載の発明の双方がパチンコ機の賞品球排出装置に関する技術分野で共通する以上、当業者にとって格別困難なことではないので、相違点３に係る本願発明の構成に到ることは当業者が容易になし得た程度のものである。
　
　そして、相違点１乃至３は相互に有機的関連性はなく、本願発明に係る作用効果も、引用発明、引用例２，３に記載の発明及び周知技術が奏する作用効果を寄せ集めた以上のものを奏するとは認められず、当業者が予測し得るものである。
　したがって、本願発明は、引用発明、引用例２，３に記載の発明及び周知技術に基づいて当業者が容易に発明をすることができたものである。
　
４．むすび
　以上のとおり、本願発明は、引用発明、引用例２，３に記載の発明及び周知技術に基づいて当業者が容易に発明をすることができたものと認められるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。